Podtech/llm-jp-corpus-v4-ja_patent huggingface dataset:
(57)【要約】      （修正有）【課題】円形状のカップであっても、蓋を強力にカップ部と接着し密閉度を高めつつ、容易な開封ができるようにする。【解決手段】カップ部と蓋の接合部を凸凹した波状や歯車状にする。【選択図】図１
0003118794.tif 000002
【実用新案登録請求の範囲】
【請求項１】
カップ部と蓋の接合部を図１−Ａのように凸凹した波状や歯車状にし、さらに、カップの円周上に同形状の接着部分を配置した、樹脂製やアルミ箔蓋を有する密閉容器。
【考案の詳細な説明】
【技術分野】
【０００１】本発明は、コーヒーミルク、ガムシロップ、プリン、茶碗蒸しなどの食品を保存するためのプラスチック製密閉容器に関するものである。
【背景技術】
【０００２】従来の密閉容器は、プラスチック製カップに樹脂製やアルミ箔の蓋をヒートシールや接着剤により固定し密閉していた。
この密閉には、環境温度による容器内の圧力変化や運搬の際に生じる衝撃から内容物がもれるのを防ぐために、ある程度の接着強度を持たせなければならない。【０００３】しかし、接着強度が強いことは、強い力を使用しなければ開封できないこととなるため、力の弱い使用者は開封に手間取る。
さらに、接着強度過多により、樹脂製やアルミ箔蓋の手でつかむ部分が破れ、開封が不可能になることもある。
また、一般的には手でもって開封するため、強い力で蓋を開けると蓋が開いたときに、カップ部をつかんでいた手の振動や反作用などで、内容物がこぼれたり、飛散したりすることがあった。【０００４】また、一部のコーヒーミルク用カップのように、非円形状のカップを用い、注ぎ口から蓋をはがすことで、応力集中を利用しスムーズに開封できるもあるが、プリンや茶碗蒸しなどの円形状カップでは実現不可能であった。
【考案の開示】
【考案が解決しようとする課題】
【０００５】解決しようとする問題点は、円形状のカップであっても、蓋を強力にカップ部と接着し密閉度を高めつつ、開封方向にとらわれない容易な開封ができるようにすることである。
【課題を解決するための手段】
【０００６】カップ部と蓋の接合部を図１−Ａのように凸凹した波状や歯車状にする。
【考案の効果】
【０００７】蓋を開けようとするとき、樹脂製やアルミ箔の蓋の手もつタブを持ち上げると、凸凹した波状や歯車状になった接合部の山になった部分の頂点に応力が集中し、軽い力で接着がはがれてゆく。
【考案を実施するための最良の形態】
【０００８】カップの円周上すべての接着部分を凸凹した波状や歯車状にすることで、全方向からの開封が可能となる。
【実施例１】
【０００９】凸凹した波状や歯車状の接着であれば、カップのフランジ部分から盛り上がっていても凹んでいても、平坦でも効果は変わらない。
【実施例２】
【００１０】凸凹した波状や歯車状の頂点の数は容器の大きさやデザインによって変えることが出来る。
【実施例３】
【００１１】カップの材質は何であっても蓋との接着部分に本発明を施せば同様の効果を得られる。
【産業上の利用可能性】
【００１２】コーヒーミルクやプリンなどの食品容器に限らず、薬品など、こぼれると困る場合に有効といえる。
【図面の簡単な説明】
【００１３】
【図１】易開封シール密閉容器の接合部分が盛り上がっている場合の全体図
【図１】易開封シール密閉容器の接合部分が凹んでいる場合の全体図
【符号の説明】
【００１４】Ａ  凸凹した波状や歯車状接着部分
【図１】
0003118794.tif 000003
【図２】
0003118794.tif 000004
【手続補正書】
【提出日】平成17年10月20日(2005.10.20)
【手続補正１】
【補正対象書類名】実用新案登録請求の範囲
【補正対象項目名】請求項１
【補正方法】変更
【補正の内容】
【請求項１】
コーヒーミルク、ガムシロップ、プリン、茶碗蒸しなどの液状、ゲル状、固形状食品を密閉保存するカップ型容器において、樹脂製又はアルミ箔製の蓋をヒートシール、又は接着剤により固定し密閉する際の接合面をその面に対して水平方向に凸凹した波状や歯車状にし、さらに、カップの円周上に同形状の接合面を配置した密閉容器。
【手続補正２】
【補正対象書類名】明細書
【補正対象項目名】００１３
【補正方法】変更
【補正の内容】
【００１３】
【図１】易開封シール密閉容器の接合面が盛り上がっている場合の全体図
【図２】易開封シール密閉容器の接合面が凸凹した波状に、凹みを境に２重に並んでいる場合の全体図
(57)【要約】      （修正有）【課題】慶事のおめでたい席等で、乾杯等の準備に要する手数を緩和し時間を短縮できる清酒入り容器を提供する。【解決手段】底面６が正方形で、面一の上端面とした垂直の周壁面７を有し、肉厚の底面６及び周壁面７で形成した無蓋容器１に、清酒２が収容され、無蓋容器１の上面が透視可能なフィルム３で密閉されている。【選択図】図１
0003118747.tif 000002
【実用新案登録請求の範囲】
【請求項１】
底面が正方形で、面一の上端面とした垂直の周壁面を有し、肉厚の底面及び周壁面で形成した無蓋容器に、清酒が収容され、無蓋容器の上面が透視可能なフィルムで密閉されていることを特徴とする清酒入り容器。
【請求項２】
無蓋容器が合成樹脂で成型されている請求項１記載の清酒入り容器。
【請求項３】
無蓋容器の内外面に塗装が施されている請求項２記載の清酒入り容器。
【請求項４】
透視可能なフィルムが、無蓋容器の角部より引き剥がし用摘み片が膨出する他は、無蓋容器の上端面より外方へ突出しないように貼着されている請求項１乃至３記載のいずれか１項記載の清酒入り容器。
【考案の詳細な説明】
【技術分野】
【０００１】
本考案は包装用の容器に関するものであり、詳しくは清酒入り容器に関する。
【背景技術】
【０００２】
従来の清酒の包装用容器は瓶が主流でガラスや陶器で製造されたものが主であった。
また、樽型に形成したものや、近年は、紙パックやガラス製又は樹脂製のコップ型のカップ等に清酒を入れて販売しているものもあり多種の容器が存在するのである。
【特許文献１】特開２００４−２６８９６８
【特許文献２】特開平０９−１８７９００
【特許文献３】特開平０９−５８６８７
【特許文献４】実開平０６−３７１３５
【考案の開示】
【考案が解決しようとする課題】
【０００３】
上記の各容器は、飲酒時には瓶等から銚子等の中間容器へ清酒を移したり、瓶等から飲酒用のグラス等へ注いで飲酒するのであり、直接容器から飲酒することを予定しているのはコップ型の容器のみである。
【０００４】
そして、慶事のおめでたい席等では、枡に清酒を注いで乾杯する習慣があり、個々の小型の枡を用意して配り、適当量を注いで一緒に飲むため、準備をするのに大変な手数、労力及び時間を要しているのである。
【０００５】
そこで、本考案は上記の準備に要する手数を緩和し、時間を短縮できる清酒入り容器を提供せんとするものである。
【課題を解決するための手段】
【０００６】
本考案の清酒入り容器は、底面が正方形で、面一の上端面とした垂直の周壁面を有し、肉厚の底面及び周壁面で形成した無蓋容器に、清酒が収容され、無蓋容器の上面が透視可能なフィルムで密閉されていることを特徴とするものである。
【０００７】
無蓋容器が合成樹脂で成型され、また、内外面に漆塗り塗装が施されているものとしてもよい。
さらに、透視可能なフィルムが、無蓋容器の角部より引き剥がし用摘み片が膨出する他は、無蓋容器の上端面より外方へ突出しないように貼着したものとしてもよい。
【考案の効果】
【０００８】
本考案の清酒を収容した無蓋容器はその形態から枡と看取せれ、そのまま直接乾杯用に使用することができ、この場合の清酒は冷酒（常温酒）であるから、そのまま配って並べれば造作なく簡単に準備が整ってしまう効果を発揮する。
また、透視可能なフィルムは包装容器等の密閉用に用いても、破裂したりしないものが公知で選択容易であり、密閉の接着手段も食品用容器に先例が多数あるから簡単に得られると共に、該フィルムに必要事項を印刷しても非印刷インクの部分から中身の確認が容易で安心して使用できる効果がある。
【０００９】
また、無蓋容器は各面が正方形又は長方形の６面体であるから梱包や積層を隙間なくでき保存や運搬効率が良い。
合成樹脂で成型すれば大量生産が可能で需要に充分応えられ、水密性も保ち軽量化も図られ、運搬にも耐えられる効果を得られる。
さらに、内外面に漆塗り等の塗装を施せば本考案の用途に相応しい装飾となる効果を得られる。
【００１０】
そして、透視可能なフィルムが、無蓋容器の角部より引き剥がし用摘み片が膨出する他は、無蓋容器の上端面より外方へ突出しないように貼着したため、外見上の体裁がよい。
また、この引き剥がし用摘み片を利用して容易に透視可能なフィルムを無蓋容器から取り除くことが出来るため、予めフィルムを取り除いて配ってもよく、各自が飲酒の際に取り除くようにしてもよく、臨機応変に対応できる効果を発揮するのである。
【考案を実施するための最良の形態】
【００１１】
本考案の実施の形態を図面に基づいて説明する。
図１は本考案の一実施の形態を示す斜視図であり、無蓋容器１に清酒２が収容してあり、無蓋容器１の面一と成っている上端面４に透視可能なフィルム３が接着５し、無蓋容器１の上面を密閉している。
【００１２】
無蓋容器１は底面６と同一形状の四面の周壁面７，７，７，７で形成され、底面６は正方形で各周壁面７は垂直に配置された枡形形状を成し、各面６，７は肉厚に形成されている。
無蓋容器１を構成する素材に限定は無く、木製や紙製等でも可能であるけれど、例えば食品の安全性に影響を与えないABS樹脂のような合成樹脂で成型すれ量産が容易である。
また、枡形形状の大小の寸法や、例えば正六面体にする等、高さと底面の１辺との長さ比も自由に決定して任意の六面体の形態とできるものである。
【００１３】
透視可能なフィルム３は、例えば熱可塑性のポリエステル系やオレフィン系の樹脂フィルムが適切であり、加熱融着により無蓋容器１の上端面４へ接着５できる。
また、ホットメルト型の接着剤を無蓋容器１の上端面４に塗布してフィルム３を熱圧着して接着５してもよい。
【００１４】
図２は他の使用の態様を示す断面図であり、無蓋容器１の内外面に塗装８を施したものであり、漆塗装を施せば容器に高級感を付与し使用目的に一層適合するものとなる。
漆塗装は生地が樹脂であっても公知の技術を用いて容易に行える。
【００１５】
図３は、他の使用態様を示す平面図であり、透視可能なフィルム３に引き剥がし用摘み片９を設けたものである。
引き剥がし用摘み片９は、無蓋容器１の一つの角部をから外側へ円弧を描くように突出して形成され、この引き剥がし用摘み片９を摘んで対向する角部の対角線方向へ引っ張れば、フィルム３を無蓋容器１から剥がすことができる。
引き剥がし用摘み片９の形状及び大きさは図面の実施例に限定されないことはいうまでもない。
【図面の簡単な説明】
【００１６】
【図１】本考案の一実施の形態を示す斜視図である。
【図２】他の使用の態様を示す断面図である。
【図３】他の使用態様を示す平面図である。
【符号の説明】
【００１７】
１  無蓋容器
２  清酒
３  透視可能なフィルム
４  上端面
５  接着
６  底面
７  周壁面
８  塗装
９  引き剥がし用摘み片  
【図１】
0003118747.tif 000003
【図２】
0003118747.tif 000004
【図３】
0003118747.tif 000005
(57)【要約】      （修正有）【課題】のぼり旗に下から照明を当てる工夫を加えることによって、安定性が高く、夜間でも、のぼり旗を安全に、低コストで鮮明に映し出す。【解決手段】のぼり旗を下から上へと照らす照明器具Ｌを設置する固定器具５と装着具６を土台の上に、または、照明器具等を少々離れた場所に設ける。これにより、転倒の危険性が大幅に低くなった。ＬＥＤ照明器具Ｌを使用したことにより、電球が長寿命で消費電力が少ない為、乾電池でも長時間充分明るく低コストで確保される。また、スポットライト等の照明器具・投光器具Ｓを使用する考案の場合、電球切れの場合は市販されている大量生産品の安価な取換え用電球を使用できることによって、低コストで提供できる。【選択図】図１
0003118771.tif 000002
【実用新案登録請求の範囲】
【請求項１】
のぼり旗の土台の上または少々離れた場所に照明器具を設けることで、下から上へと垂直に照明を当てられるため、安定しており、突風または悪意を持った人の手によって、照明器具が転倒せずに、夜間ののぼり旗をライトアップすることができることを特徴とする照明付きのぼり旗。
【請求項２】
上記照明器具としてＬＥＤ（発光ダイオード）が使用されたことを特徴とする請求項１記載の照明付きのぼり旗。
【請求項３】
スポットライト等の照明器具・投光器具を使用してライトアップすることができることを特徴とする照明付きのぼり旗。
【考案の詳細な説明】
【技術分野】
【０００１】
この考案はのぼり旗に関するものであり、のぼり旗に下から照明を当てる工夫を加えることによって、安定性が高く、夜間でも、のぼり旗を安全に、低コストで鮮明に映し出すことができるようにしたものである。
【背景技術】
【０００２】
従来の販売促進用具として「視認灯付き旗竿」が考案されていた。従来の技術としては、旗を取り付けるパイプとして、その一部に中空パイプが使用され、この中空パイプ内に視認灯が収納固定され、この視認灯を点灯して上記中空パイプをその内部から外部に向けて上から下に照らすことによって、一部がライトアップされるようになっていた。（図４）
【考案の開示】
【考案が解決しようとする課題】
【０００３】
しかしながら、以上の技術によれば、確かに、夜間、のぼり旗がライトアップされるが、突風または悪意を持った人の手により、照明器具が転倒する問題と、大量生産品ではないので、導入費用、維持費用がかさみ、高コストとなってしまう問題がある。
そこで、この考案は、安定性が高く、低コストで提供することを課題とする。
【課題を解決するための手段】
【０００４】
以上の課題を解決するために請求項1の考案は、下から上へと垂直に照明を当てることにより、安定しており、突風または悪意を持った人の手によって、照明器具が転倒しないことを特徴とする照明付きのぼり旗である。また、請求項２の考案は、照明として、ＬＥＤ（発光ダイオード）照明を使用したことにより、電球が長寿命なことと、消費電力が少なくて済むため、乾電池でも十分な明るさが長時間にわたり、確保されることを考案した（図１、図２）。請求項３の考案は、市販の大量生産品を使用することにより、電球の耐久性が比較的長寿命なことと、電球切れの場合は、市販の安価な取換え電球を使用できることによって、低コストで提供できることを考案した。（図３）
【考案の効果】
【０００５】
よって、請求項1の考案によれば、照明器具が転倒する問題が解消される。また、請求項２の考案によれば、照明の電源が乾電池のため、雨の日に起こりうる漏電事故の危険性が無く、導入費用、維持費用が低コストで済むことになる。請求項３の考案によれば、乾電池以外の電源で、電球切れの場合、市販の大量生産品を使用できるので、電球の耐久性が比較的長寿命なことと、維持費が低コストで済むことになる。
【考案を実施するための最良の形態】
【０００６】
ＬＥＤ照明器具を使用した考案の一実施形態を図１に示す。
ＬＥＤ照明器具の本体Ｌはアルミ製であり、防水加工が施されている。プラスチック製の装着具６にこの本体Ｌを取り付けられるように設計してある。この装着具６を支える土台５は長方形のステンレス製の板である。また、図３にはスポットライト等の照明器具・投光器具が使用してある。スポットライト等の市販の照明器具・投光器具の本体Ｓの多くは金属製である。この本体Ｓの多くはスタンドが設けられているので、地面に設置できるため、安定性が高い。                  
【０００７】
「実施形態の効果」
ＬＥＤ照明器具を使用した、図１と図２に記載の考案の一実施形態によれば、ＬＥＤ照明器具の固定器具５と装着具６の働きで、ＬＥＤ照明器具を垂直に装着することができる。したがって、光源を近くにできるため、夜間でものぼり旗のデザインがよく見えるようになる。また、固定器具５の形が長方形のため、多くののぼり土台の形に対応していて、しっかりと固定される。なので、安定性が高い。一方、スポットライト等の照明器具・投光器具を使用した、図３に記載の考案の一実施形態によれば、使用する電力と電球が強力なため、ＬＥＤ照明器具以上に明るく照らすことができる。したがって、まわりに全くあかりがなくても、のぼり旗のデザインを昼間のように鮮明に映し出すことができる。スポットライト等Ｓのスタンド部分７が地につくため高い安定性が得られる。スポットライト等Ｓは電源の供給方式がＬＥＤ照明器具のものとは違い、電力会社供給の普通の家庭用電源または店舗用電源からなので、電池切れがない。                                
【０００８】
「他の実施形態」
図１と図２の実施形態では、ＬＥＤ照明器具を使っているが、他の実施形態では、電球が長寿命で、消費電力が少なく、市販の電池が使えて、装着具６に装着するサイズが同じで、照らし出すあかりの強さが同等以上であれば、他の種類の照明器具または投光器具でも良い。なお、固定器具の形は正方形とは限らない。また、図３の実施形態では、多くのスポットライト等Ｓのスタンド部分７のように地に着く等、高い安定性が得られることと、のぼり旗を充分に照らすことができれば、他のものでも良い。
【図面の簡単な説明】
【０００９】
【図１】請求項1と請求項２の考案の一実施形態の全体を示す斜視図である。
【図２】請求項1と請求項２の考案の一実施形態の詳細を示す拡大した斜視図である。
【図３】請求項３の考案の一実施形態の全体を示す斜視図である。
【図４】従来の考案を示す斜視図である。
【符号の説明】
【００１０】
１  ポール                      
２  のぼり旗  
３  照明器具の照射光            
４  のぼり土台
５  ＬＥＤ照明器具の固定器具
６  ＬＥＤ照明器具の装着具  
７  スポットライト等Ｓのスタンド部分        
８  従来の技術で使用の視認灯
Ｌ  ＬＥＤ照明器具の本体        
Ｓ  スポットライト等の照明器具・投光器具
【図１】
0003118771.tif 000003
【図２】
0003118771.tif 000004
【図３】
0003118771.tif 000005
【図４】
0003118771.tif 000006
(57)【要約】      （修正有）【課題】風呂場など狭い場所でも簡単に使用できて、チューブ状の袋から内容物を残さず絞り出せるチューブ絞り器を提供する。【解決手段】チューブ絞り器１は、一対のローラ２と、それぞれのローラ２の一端部にもうけられた握り部３と、ローラ３の他端側でローラを開閉自在に接続する接続部材４を有するものである。【選択図】図１
0003118774.tif 000002
【実用新案登録請求の範囲】
【請求項１】
一対のローラと、それぞれのローラの一端部にもうけられた握り部と、ローラの他端側でローラを開閉自在に接続する接続部材を有するチューブ絞り器。
【考案の詳細な説明】
【技術分野】
【０００１】
この考案は、チューブ状の袋に入った詰め替え用シャンプーなどの内容物を搾り出すための道具に関するものである。
【背景技術】
【０００２】
シャンプーやリンスの多くが手押しポンプの付いた容器に入れられて販売されている。そして、詰め替え用のシャンプーやリンスも袋詰めで販売されている。中身を消費しても詰め替えることでポンプ付き容器を繰り返し利用でき、資源の有効利用の観点からも好ましい。しかし、詰め替えにおいて袋の中身を全部出し切るのはむつかしく、どうしてもかなりの量が袋の中に残ったまま廃棄されることが多い。特に、リンスのように粘度の高い内容物だと、手で絞り出すのは困難である。
【０００３】
また、レトルト食品も普及しており、各種の商品が消費されているが、やはり、レトルトパックの中に内容物がある程度残ってしまう。
【０００４】
特許文献１には、レトルト食品や詰め替え用袋入り液状製品の中身をきれいに取り出すための手動工具が提案されている。ステンレスの部分を四角形にし、一辺にローラーゴムを配し反対側の辺二本を束ね中央にグリップを付け、また止め具を残りの二辺に可動式に配している。
【特許文献１】特開２００４−２１０３９６号
【考案の開示】
【考案が解決しようとする課題】
【０００５】
詰め替え用のシャンプーやリンスが袋の中に残ったまま廃棄されるのは不経済であるとともに、リサイクルの考えに反する。特許文献１には、手動工具はレトルト食品や詰め替え用袋入り液状製品の中身をきれいに取り出すことができるように記載されているが、どのように使用するか不明な点がある。挟み込む部分（ローラーゴム）の開閉は止め具の移動により行うことになるが、片手でグリップを持ち、もう一方の手で袋を持つと、一人では止め具の移動が行えない。また、四角形のステンレス管でローラーゴムを配した辺を除く他の３辺は中身の絞り出しをするときに邪魔になるだけである。このような道具では、調理場や風呂場など狭い場所で使用するのは不便と思われる。
【０００６】
この考案は、風呂場など狭い場所でも簡単に使用できて、チューブ状の袋から内容物を残さず絞り出せるチューブ絞り器を提供することを目的とする。
【課題を解決するための手段】
【０００７】
上述の課題を解決するため、この考案のチューブ絞り器は、一対のローラと、それぞれのローラの一端部にもうけられた握り部と、ローラの他端側でローラを開閉自在に接続する接続部材を有するものである。
【考案の効果】
【０００８】
この考案のチューブ絞り器は、チューブ状の袋の挟み込みおよび開放を片手で行え、狭い場所でも容易にチューブ状の袋から内容物を残さず絞り出すことができる。
【考案を実施するための最良の形態】
【０００９】
この考案を実施するための最良の形態について説明する。図１はチューブ絞り器を示す平面図でローラが開いた状態を示し、図２はローラが閉じた状態を示す。図３はチューブ絞り器の使用状態を示す。チューブ絞り器１は、一対のローラ２を備え、それぞれのローラ２の一端部には握り部３が設けられている。ローラ２は絞り出しの対象となる袋の幅をカバーするだけの長さを有する。ローラ２の表面にはゴムのような摩擦の大きい素材を設けることが好ましい。
【００１０】
一対のローラ２は握り部３が設けられた側とは反対側の端部において、接続部材４によって接続されている。接続部材４はローラ２の軸に固定されたアーム５と、このアーム５を相互に回転自在に支持する支持軸６を有する。したがって、２つのローラ２はこの支持軸に対する開閉により、図１のように開いた状態と図２のように閉じた状態に切替えることができる。
【００１１】
つぎに、このチューブ絞り器１を使用して詰め替え用のシャンプーを絞り出す作業について説明する。まず、チューブ絞り器１を使用することなく、通常の方法で詰め替え用のシャンプーを容器に注ぐ。このとき、袋の中にはシャンプーが残っている。
【００１２】
一方の手で（通常は利き手と逆の手）チューブ絞り器１の握り部２を持つ。握り部２を開いて、２つのローラ２の間にチューブ状の袋７を差し込むことができる程度のすきまをつくる。この隙間に差し込むことによって、袋７は簡単に２つのローラ２の間にセットされる（図３）。シャンプーの出口８とは反対側の位置にローラ２を合わせ、握り部２を握ると、２つのローラ２によって袋７は挟み込まれる。握り部２を持っていない側の手で袋の底部９を持ち、ローラ２をシャンプーの出口９へ向けて移動させることにより袋７の中のシャンプーは残らず絞り出される。
【００１３】
レトルト食品をはじめ、チューブ状の袋に詰められた商品に対しても同様の作業で簡単に内容物を絞り出すことができる。このチューブ絞り器１は小さい道具であり、使用しないときにはたとえば接続部材４を壁に設けたフックにかけたりして吊るしておくことができる。また、簡易な構成であり、安く製造・提供することができ、たとえば、ポンプ付き容器入りシャンプーの付属品として提供してもよい。これによって、消費者に詰め替え用シャンプーの利用を喚起することができ、また、環境に配慮した製品・事業であることをアピールすることができる。
【産業上の利用可能性】
【００１４】
この考案は、チューブ状袋に入った内容物を簡単に絞り出すことができるチューブ絞り器として利用することができ、たとえば詰め替え用シャンプー・リンスやレトルト食品を無駄なく利用するための日用品として利用することができる。
【図面の簡単な説明】
【００１５】
【図１】チューブ絞り器を示す平面図でローラが開いた状態を示す。
【図２】チューブ絞り器を示す平面図でローラが閉じた状態を示す。
【図３】チューブ絞り器の使用状態を示す説明図である。
【符号の説明】
【００１６】
１．チューブ絞り器
２．ローラ
３．握り部
４．接続部材
５．アーム
６．支持軸
７．チューブ状袋
８．出口
９．底部
【図１】
0003118774.tif 000003
【図２】
0003118774.tif 000004
【図３】
0003118774.tif 000005
(57)【要約】      （修正有）【課題】従来型の目薬容器では、顔を仰向けにして目測で目薬溶液を上から下に重力で落下させていたが、これだけでは眼球に照準を合わせる事が難しく、点眼に失敗する可能性が高い。又その上、必然的に点眼作業に集中力を要するので、時間が掛かってしまう。そこで、これらの不便な作業を解消する必要がある。【解決手段】まず、目薬容器１を錐体型にして、錐体の頂点部分を点眼口２とする。次に容器側面部の周囲に、底面に対して平行になる目印３や凹凸のラインを、底面から頂点部分の間に適切な間隔で引く。そうすると、点眼の際に点眼口を下から覗きながら、錐体側面部のラインと目薬溶液表面の縁のラインを合わせる事によって、点眼口が眼球５の位置に対して垂直である事を重力により確認出来るようになる。そしてその結果、目薬の点眼を正確かつ容易に行う事が可能になるので、この課題を解決する。【選択図】図４
0003118766.tif 000002
【実用新案登録請求の範囲】
【請求項１】
錐体型容器の側面部の周囲に、底面に対して平行な目印や凹凸のラインを底面から頂点までの間に適切な間隔で引いた、目薬用容器。
【考案の詳細な説明】
【技術分野】
【０００１】
本考案は、目薬の点眼に使用する目薬容器に関する。
【背景技術】
【０００２】
従来の目薬容器では、顔を仰向けにして、目測で目薬溶液を上から下に重力で落下させて点眼していた。
【考案の開示】
【考案が解決しようとする課題】
【０００３】
しかし、これだけでは、目薬を点眼する際に、点眼口の位置が分かりずらく、目薬溶液の落下点が眼球の位置から外れる可能性が有り、そのために点眼作業に集中力を要するので、時間が掛かり不便である。
【課題を解決するための手段】
【０００４】
そこで、目薬容器を錐体型にして、その頂点部分を点眼口とし、そして側面部の周囲に、底面に対して平行になる目印や凹凸のラインを底面から頂点の間に適切な間隔で引いた目薬容器を考案した(図１)。
【考案の効果】
【０００５】
よって、本考案の目薬容器により、目薬を点眼する際に、顔を仰向けにして点眼口を覗きながら、錐体の側面部の周囲に有る目印のラインと目薬溶液表面の縁のラインを合わせる事によって、点眼口が眼球の位置に対して垂直である事を重力により確認できるので、目薬の点眼を正確かつ容易に行う事が可能になるのである。(図４)
【考案を実施するための最良の形態】
【０００６】
本考案に係る目薬容器は、図２に示すように、容器の型が錐体で側面周囲に目印があり、尚且つ透明である事が条件である。
【０００７】
また、容器の形状が円錐や角錐であるため、点眼の際には容器の底面に指で圧力をかけて、内溶液を落下させる事が好ましい。
【０００８】
そのため、容器の底面部は圧力をかけ易いように、あらかじめ柔軟な構造にしておく必要がある。  
【図面の簡単な説明】
【０００９】
【図１】本考案に係る目薬容器を示した立面図である。
【図２】本考案に係る目薬容器に、液体を入れた状態の立面図である。
【図３】本考案に係る目薬容器を示した、点眼時に下から覗いた平面図である。
【図４】本考案に係る目薬容器の実際の使用方法を示した立面図である。
【図５】従来の一般的な目薬容器の形状を示した立面図である。
【符号の説明】
【００１０】
１  容器
２  点眼口
３  容器側面部の周囲にある目印
４  目薬溶液
５  眼球
６  従来の一般的な目薬容器
【図１】
0003118766.tif 000003
【図２】
0003118766.tif 000004
【図３】
0003118766.tif 000005
【図４】
0003118766.tif 000006
【図５】
0003118766.tif 000007
(57)【要約】【課題】頭部に沿うような湾曲したフレーム形状であって、なおかつ、櫛歯が互いに平行に並設することで髪の毛のひっかかりをなくした櫛を提供することである。【解決手段】本考案に係る櫛は、櫛フレーム１と、複数の櫛歯２を有する。櫛フレーム１は、円弧状の湾曲部３と、取っ手部４を有する。櫛歯２は、櫛フレーム１の湾曲部３に、櫛の長さ方向に沿った直線と直交する向きに互いに平行に複数並設する。このように、櫛フレーム１に円弧状の湾曲部３を設けることで、頭部の湾曲面に沿うように髪の毛を梳かすことができ、さらに、各櫛歯２を互いに平行に並設することで髪の毛のひっかかりを防ぐことができる。なお、櫛歯２の長さは適宜決定することができる。【選択図】      図１
0003118761.tif 000002
【実用新案登録請求の範囲】
【請求項１】
円弧状の湾曲部を有する櫛フレームと、
上記櫛フレームの湾曲部に、櫛の長さ方向に沿った直線と直交する向きに複数の櫛歯が互いに平行に並設してなることを特徴とする櫛。
【考案の詳細な説明】
【技術分野】
【０００１】
本考案は、頭部に沿うように湾曲した櫛フレームとその湾曲部に櫛歯が互いに平行に並設した櫛に関する。
【背景技術】
【０００２】
一般的に、櫛といえば櫛フレームは直線的であり、櫛フレームには、櫛歯が互いに平行に並設している。しかし、上記のような一般的な直線的櫛形状では、散髪する際などに頭部形状に沿っていないため、専門的な技術を持たない人々にとっては決して使いやすいものではなかった。そこで、専門的な技術を持たない人々でも使いやすいようにと開発されたのが、頭部の湾曲した面に沿うような形状を有した「丸刈り用または裾刈り用櫛」（実開昭５４−９１９９３号公報、特許文献１参照）である。
【０００３】
上記特許文献１の「丸刈り用または裾刈り用櫛」は、櫛フレームが頭部に沿うような円弧状の湾曲部を有し、前記湾曲部に沿って各櫛歯がそれぞれ個々に湾曲部と直行する方向に向かうように並設した櫛である。すなわち、櫛歯同士は平行ではない。このような形状の櫛は、頭部に沿うように梳かすことができる反面、各櫛歯が互いに平行になっていないために梳かす際に髪の毛が頻繁にひっかかってしまう。
【特許文献１】実開昭５４−９１９９３号公報
【考案の開示】
【考案が解決しようとする課題】
【０００４】
上述した特許文献１の櫛は、頭部に沿うような湾曲した櫛フレーム構造によって従来の一般的な直線状の櫛よりも専門的な技術を持たない人でも使いやすくしている。しかし、湾曲部に沿って各櫛歯がそれぞれ個々に湾曲部と直行する方向に向かうように並設しているために、櫛歯同士は平行ではなく、これにより、髪の毛が頻繁にひっかかってしまう問題があった。
【０００５】
そこで本考案においては、頭部に沿うような湾曲した櫛フレーム構造であって、なおかつ、櫛歯が互いに平行に並設することで髪の毛のひっかかりをなくした櫛を提供することである。
【課題を解決するための手段】
【０００６】
上述する課題を解決するために、本考案では、
円弧状の湾曲部を有する櫛フレームと、
上記櫛フレームの湾曲部に、櫛の長さ方向に沿った直線と直交する向きに複数の櫛歯が互いに平行に並設してなることを特徴としている（請求項１）。
【考案の効果】
【０００７】
本考案によれば、櫛を湾曲形状にすることで頭部に沿って髪を梳かすことができ、なおかつ、複数の櫛歯を互いに平行に並設することで髪の毛のひっかかりを防止し、よりスムーズに髪を梳かすことができる。
【考案を実施するための最良の形態】
【０００８】
図１は、本考案に係る櫛の正面図である。図示した櫛は、櫛フレーム１と、複数の櫛歯２を有する。櫛フレーム１は、円弧状の湾曲部３と、取っ手部４を有する。櫛歯２は、櫛フレーム１の湾曲部３に、櫛の長さ方向に沿った直線と直交する向きに互いに平行に複数並設する。このように、櫛フレーム１に円弧状の湾曲部３を設けることで、頭部の湾曲面に沿うように髪の毛を梳かすことができ、さらに、各櫛歯２を互いに平行に並設することで髪の毛のひっかかりを防ぐことができる。なお、櫛歯２の長さは適宜決定することができる。
【０００９】
図２は、図１に示した櫛の側面図である。図示した櫛は、櫛フレーム１に厚みを持たせ、櫛フレーム１から櫛歯２の先端方向に向かって厚みを減らし、櫛歯２の先端が細くなるようにしている。このように、櫛歯２の先端を細くすることで、櫛歯２が髪の毛の根元まで容易に到達することができ、一回の梳かしで多くの髪の毛を梳かすことができる。もちろん、各櫛歯２の先端は人体に触れても人体を損傷させないように丸みを持たせている。
【００１０】
図３は、図１に示した櫛の櫛歯側から見た側面図である。図示した櫛は、櫛フレーム１と、複数の櫛歯２を有する。櫛フレーム１は、取っ手部４を有する。櫛歯２は、櫛フレーム１に互いに平行に複数並設する。このとき、櫛歯２は互いに平行であることから、櫛歯同士の間隔は一定である。したがって、髪の毛のひっかかりを防止し、よりスムーズに髪の毛を梳かすことができる。
【産業上の利用可能性】
【００１１】
本考案は、髪の毛を梳かす際のひっかかりをなくすことができる櫛に関するものであるが、例えば、馬や犬、猫といった動物の毛並みを整えることにも十分使用することができる。
【図面の簡単な説明】
【００１２】
【図１】本考案に係る櫛の正面図である。
【図２】図１に示した櫛の側面図である。
【図３】図１に示した櫛の櫛歯側から見た側面図である。
【符号の説明】
【００１３】
１  櫛フレーム
２  櫛歯
３  湾曲部
４  取っ手部
【図１】
0003118761.tif 000003
【図２】
0003118761.tif 000004
【図３】
0003118761.tif 000005
(57)【要約】      （修正有）【課題】ビンから液を流す際、最後に注ぎ口から滴るのを防止する機能を有す液垂れ防止口を提供する。【解決手段】ビンの注ぎ口に新たな考案品を設け、注ぎ口の内側に液の溜まる場所を作り、液が引き寄せられるようにした。また先端部は液が滴れないようにビンに対してほぼ垂直な面にして、微妙なRをつけた事で液がビンの外側へ付着しないようにした。【選択図】図１
0003118789.tif 000002
【実用新案登録請求の範囲】
【請求項１】
本考案品を一升瓶などのビンの注ぎ口に取り付けることによって、ビンの中に入った液がビンの注ぎ口から注がれるとき、滴ることなく別の容器に注ぎいれることが出来る補助的道具。
【考案の詳細な説明】
【技術分野】
【０００１】
本考案は、ビン容器から液を注いだ後、注ぎ口から液が滴りにくいように工夫した樹脂製品で、いつも容器が清潔でいられる事を目的とした。
【背景技術】
【０００２】
一升瓶などビンの口は特に特殊な構造が施されている訳ではなく、ビンから液を注ぐと最後に液が垂れたり、粘度があるものでは、付着して汚れてしまうことが多い。これはビン類の注ぎ口の形にあると思われる。私たちの生活の中でビンを扱う商品は数多く存在するため、注ぎ口から液の垂れを防止することは不可欠と思われる。注ぎ口に本考案品を取り付けることで、無駄な垂れが無くなることになればビンはいつも清潔に保たれる。
【０００３】
ビンといっても、大きさや形はさまざまである。しかも内容液の粘度も色々である。どんな液にも対応できる形状にすることが要求とされる。
【０００４】
また取り外し可能で洗って再度使用することが出来、経済的でなければならない。
【０００５】
ビン注ぎ口の形状は、今も昔も殆んど変わっていない。直接口へ含む場合は問題が無いが、他の器へ移し変えるときにはどうしても液が手に付着したり下へこぼれてしまうケースが多い。特に内容液の粘度が高いと一層のことである。
【考案の開示】
【考案が解決しようとする課題】
【０００６】
解決しようとする問題点は、液が注ぎ口から滴る前にいかにビンの内側へ吸い寄せられるかということ。ここに着目した。一升瓶の注ぎ口をよく見ると滑らかなR形状で安全に出来ている。しかしこの形状では液は切れることが無く注ぎ口外側表面を伝わって垂れて行く。この事を無くすため、別の補助的道具を使用しなければならない。しかも、その道具も考案された適当なもので無ければならない。
【課題を解決するための手段】
【０００７】
本考案は、液を容器の内側へ戻す力をいかに起こすかが重要かと思う。表面張力などを利用して、まず注ぎ終わった液を吸い上げる力が働くようにした。その形状としてまず注ぎ口近辺に液の溜り場を設けること。さらに内側へ戻り易くなるように口の形をなめらかに整え、最先端部は液が切れないように滑らかなアール形状にした。
【考案の効果】
【０００８】
本考案では、上記の手段によってスムースな液の戻りと、キレがない粘液の動きを確認することが出来た。実験では１００％といって良いほどすばらしい結果がでた。  
【考案を実施するための最良の形態】
【０００９】
普通の液はもとより粘度の高い液が入ったビンの注ぎ口に本考案品を取り付けて注ぐが、本考案品は何種類か、注ぎ口の径に合わせ用意する必要がある。
【実施例１】
【００１０】
図１は本考案の１実施例で１が先端部で、液が１の先端部分で適度に切れにくいようにＲ形状で丸みを持たせている。２は粘液を容器の内側へ引き入れ易いようになめらかな面を持つ。３のくびれた所から４の溜まり場は液を最終的に引き寄せるための深みのある形状。
【００１１】
実験では１の先端部のΦ数が大きいほど有効ではあったが、基本的には図のような形で、ビンの大きさに合わせて全体の縮尺を変えれば良いと思われる。
【産業上の利用可能性】
【００１２】
各産業で扱われるビンは、こうした注ぎ口を持つことで無駄な漏れが無くなり、性能的、衛生的に優れ、商品の活性化や使用頻度のアップにもつながって行く。また、ビンだけではなく石油ポンプの口やオイルの移し変えの器などにも有効である。
【図面の簡単な説明】
【００１３】
【図１】液垂れ防止口の基本形状。（実施例１）
【図２】ビンの注ぎ口に本考案品を取り付けた例。（実施例２）
【符号の説明】
【００１４】
１  先端部、
２  吸い寄せ部
３  首
４  溜り部
【００１５】
１  本考案品
２  ビン
【図１】
0003118789.tif 000003
【図２】
0003118789.tif 000004
【手続補正書】
【提出日】平成17年5月31日(2005.5.31)
【手続補正１】
【補正対象書類名】実用新案登録請求の範囲
【補正対象項目名】全文
【補正方法】変更
【補正の内容】
【実用新案登録請求の範囲】
【請求項１】
本考案品は図２−１の様な、円筒中央部に内側へ大きく絞り込んだ形状を設けると同時に、図１−２の部分を滑らかなR形状にすることで、ビンに取り付けた本考案品を立てる際、注ぎ口に残った液は容易に中央絞込み部分から図１−４へ引き寄せられ、再びビン内部に戻る。また本考案品の先端部付近は極力水平に近い角度の円弧で結び、先端に微妙な丸みを持たせることにより、液が切れ難く垂れ難くした液垂れ防止口。
【手続補正書】
【提出日】平成17年6月29日(2005.6.29)
【手続補正１】
【補正対象書類名】実用新案登録請求の範囲
【補正対象項目名】全文
【補正方法】変更
【補正の内容】
【実用新案登録請求の範囲】
【請求項１】
本考案品は円筒中央部に内側へ大きく絞り込んだ形状を持たせると同時に、そこに考案品先端部から大きな円弧で結ぶ滑らかなR状にすることで、注ぎ口先端付近に残った液が容易にビン内に引き寄せられるという構造有する液垂れ防止口。
【手続補正書】
【提出日】平成17年8月1日(2005.8.1)
【手続補正１】
【補正対象書類名】実用新案登録請求の範囲
【補正対象項目名】全文
【補正方法】変更
【補正の内容】
【実用新案登録請求の範囲】
【請求項１】
本考案は、ビンなどの液体容器の注ぎ口に差し込む等の方法によって取り付けられ、液体容器の中に入った液体内容物が注ぎ口から注がれるとき、滴ることなく別の容器に注ぎ入れることが出来るようにすることを目的とした液体容器の注ぎ口の補助的道具であり、その形態は、液体容器の取り付け基部の先にあたる円筒中央部で内側へ大きく絞り込んだ形状から、先端部となる本考案の製品の注ぎ口へと大きな円弧で結んだ、その外観を例えるならば楽器のラッパの口のような滑らかな末広がりのR状にしてあることを特徴とする。この形状により、注ぎ口先端付近に残った液体内容物は、表面張力によって容易に液体容器内に引き寄せられるということを特徴とする液垂れ防止口。
【手続補正書】
【提出日】平成17年9月21日(2005.9.21)
【手続補正１】
【補正対象書類名】実用新案登録請求の範囲
【補正対象項目名】全文
【補正方法】変更
【補正の内容】
【実用新案登録請求の範囲】
【請求項１】
ビン注ぎ口に取り付けられ、円筒中央部が内側へ大きく絞り込まれた形状と、そこに先端部からくる滑らかな円弧で結ばれることにより、注ぎ口先端付近に残った液が容易にビン内に引き寄せられるという構造を有する液垂れ防止口。
(57)【要約】      （修正有）【課題】１個の容器から複数の場所に薬剤を経済的に注入出来ることと、長時間使用出来ることを課題とした。【解決手段】容器タンク１の外面に調整バルブ２とバルブ先端に所定長ホース３と先端注入ノズル４を設けた。【選択図】図１
0003118785.tif 000002
【実用新案登録請求の範囲】
【請求項１】
蓋付き当該タンク本体の外面に調節バルブ複数を設けた雑草の薬剤注入装置。
【請求項２】
調節バルブと連結された所定長ホースと先端注入ノズルを設けた雑草の薬剤注入装置。
【請求項３】
タンク蓋の上部に空気調整バルブを設け（タンク内薬液の流れ）を容易にする雑草の薬剤注入装置。
【請求項４】
タンク内部薬液量監視窓を設けた雑草の薬剤注入装置。
【考案の詳細な説明】
【技術分野】
【０００１】本考案は雑草、植物に薬剤注入装置に関する。
【背景技術】
【０００２】従来、チューブ等に薬剤等注入の物は知られていて利点がある。
【考案の開示】
【考案が解決しようとする課題】
【０００３】しかしながら植木針など使用時、チューブ、ペットボトル構造容器では薬剤注入の流れに欠点があった。
【課題を解決するための手段】
【０００４】本考案はタンク容器を設け、外面に調整バルブを複数設け、バルブ先端に所定長ホースと先端注入ノズルを設け、土壌に挿入、バルブ調整で薬剤を経済的に長時間注入できることを解決手段とした。
【考案を実施するための最良の形態】
【０００５】図１に示すようにタンク容器の外面に複数の調整バルブを設け、バルブ先端に所定長ホースと先端注入ノズルを設け、先端注入ノズルは土壌に挿入する形態である。【０００６】タンク容器の外面に複数の調整バルブ、ホース先端注入ノズルを設けることで、複数の所に使用できる形態である。
【考案の効果】
【０００７】本考案に係る雑草の注入装置は、一個の容器タンクから複数の場所に薬剤注入できることと、植物によっては調整バルブにより薬剤注入が変化できることと、長時間使用できる効果がある。
【図面の簡単な説明】
【図１】    本考案に係る雑草の薬剤注入装置の工程図である。
【符号の説明】
１    容器タンク
２    調整バルブ
３    ホース
４    ノズル
５    中空管（カラー）
６    空気調整バルブ
７    容器タンク内部観察窓
【図１】
0003118785.tif 000003
【手続補正書】
【提出日】平成17年1月25日(2005.1.25)
【手続補正１】
【補正対象書類名】実用新案登録請求の範囲
【補正対象項目名】全文
【補正方法】変更
【補正の内容】
【実用新案登録請求の範囲】
【請求項１】
容器タンクからなる、所定長ホースの先端に中空管針を設けたことを特徴とする薬剤注入装置。
【請求項２】
中空管針に突設中空管を被せることを特徴とする薬剤注入装置。
【手続補正書】
【提出日】平成17年7月19日(2005.7.19)
【手続補正１】
【補正対象書類名】実用新案登録請求の範囲
【補正対象項目名】全文
【補正方法】変更
【補正の内容】
【実用新案登録請求の範囲】
【請求項１】
容器と連結された所定長ホースの先端に中空管針を設けた雑草の薬剤注入装置。
(57)【要約】左巻ネジ、右巻ネジを有するメガネ、メガネのネジがゆるむのはアームとネジの摩擦によって起こるもである【選択図】  図１
0003118787.tif 000002
【実用新案登録請求の範囲】
メガネの左巻ネジ、右巻ネジである
【考案の詳細な説明】
メガネのネジのゆるみ止である
0003118787.tif 000003
【手続補正書】
【提出日】平成17年4月23日(2005.4.23)
【手続補正１】
【補正対象書類名】明細書
【補正の内容】
0003118787.tif 000004
0003118787.tif 000005
【手続補正書】
【提出日】平成17年7月25日(2005.7.25)
【手続補正１】
【補正対象書類名】実用新案登録請求の範囲
【補正対象項目名】全文
【補正方法】変更
【補正の内容】
【実用新案登録請求の範囲】
【請求項１】
左巻ネジ、右巻ネジを有するメガネ
【手続補正２】
【補正対象書類名】明細書
【補正対象項目名】全文
【補正方法】変更
【補正の内容】
【考案の詳細な説明】
左巻ネジ、右ネジを有するメガネ
メガネのネジのゆるみ止である
右側のネジがゆるまず、左側のネジがゆるむのは、左側が右巻ネジであるからである  これを左巻ネジとする
ここが今までにない新しいメガネなのである
【図面の簡単な説明】
【図１】は組立図正面図である
【図２】は組立図立面図である
【図３】は組立図側面図である
【図４】は左巻ネジ拡大図である
【図５】は右巻ネジ拡大図である
【手続補正４】
【補正対象書類名】図面
【補正対象項目名】全図
【補正方法】変更
【補正の内容】
【図１】
0003118787.tif 000006
【図２】
0003118787.tif 000007
【図３】
0003118787.tif 000008
【図４】
0003118787.tif 000009
【図５】
0003118787.tif 000010
(57)【要約】      （修正有）【課題】ボルトに螺合するナットについて、ボルトの先端を容易にナットのボルト差込口に位置合わせできるナットを提供する。【解決手段】ナットのボルト差込口２の直径をボルトの直径より大径に形成するようにナットのボルト差込口周面からナットに雌ネジ切削部分３に向けて内側にテパー状に形成した尻つぼみ形のボルト差込口２Ａとし、或いは段付テパー状のボルト差込口２Ｂとし、或いは段付のボルト差込口２Ｃとする構成。【選択図】図１
0003118730.tif 000002
【実用新案登録請求の範囲】
【請求項１】
ナットのボルト差込口の直径をボルトの直径より大径に形成するようにナットのボルト差込口周面からナットに雌ネジ切削部分に向けて内側にテパー状に形成した尻つぼみ形のボルト差込口とし、或いは段付テパー状のボルト差込口とし、或いは段付のボルト差込口とする構成とすることを特徴とするナット。
【考案の詳細な説明】
【技術分野】
【０００１】
ボルトに螺合するナットに関する。
【背景技術】
【０００２】
ボルトに螺合するこれまでのナットは、ナットのボルト差込口がボルトの太さと同径に形成されていた。
従って、ボルトにナットを螺合する際、ともするとボルトの先端とナットのボルト差込口の位置合わせに手間取るなどの不都合を生じ、或いは、せっかくボルトの先端にナットのボルト差込口を位置させてナットのボルト差込口をボルトの先端に当接させたとしても、ナットのボルト差込口がボルトの先端との位置合わせがうまくいかずにナットをボルトにスムーズに螺着することが出来なかったり、或いはボルトの先端から取り落としたりする不都合を生じることがあった。
この場合は、必然的にボルトにナットを締付ける作業に手間どり、ナット締付作業が非能率的になると言う不都合が生じることになる。
【考案の開示】
【考案が解決しようとする課題】
【０００３】
本考案は、ボルトに螺合するナットについて、ボルトの先端を容易にナットのボルト差込口に位置合わせでき上気したような不都合が生じることのないナットを提供しようとするものである。
【課題を解決するための手段】
【０００４】
ナットのボルト差込口の直径をボルトの直径より大径に形成するようにナットのボルト差込口周面からナットに雌ネジ切削部分に向けて内側にテパー状に形成した尻つぼみ形のボルト差込口とし、或いは段付テパー状のボルト差込口とし、或いは段付のボルト差込口とする構成とした。
【考案の効果】
【０００５】
本考案にかかるナットは、ボルト差込口を前記のように構成したので、ボルトの先端を極めて容易にナットの差込口に当接することができる。それだけでなく、ボルトの先端にナットの差込口を当接してナットをボルトに螺合する作業を行う際、ボルトの先端に当接したナットを容易に締付けることができ、更にボルトの先端から取り落とすような不都合の生じるのをなくすことができる。
【実施例１】
【０００６】
本考案は、ナット１のボルト差込口２をボルトの直径より大径とした構成とする。
ナット１のボルト差込口２を、ボルトの直径より大径に構成するには、ナット１のボルト差込口２の周面からナット１の雌ネジ切削部分３に向かって内側面を図１Ａに図示するようにテパー状に形成した尻つぼみ形のボルト差込口２Ａとし、或いは図１Ｂに図示するように段付テパー状のボルト差込口２Ａとし、或いは図１Ｃに図示するように段付のボルト差込口３Ｃとする。
【０００７】
ナット１のボルト差込口２を図１Ａ、図１Ｂ、図１Ｃに図示する構成とすることによって、ボルト４の先端はナット１のボルト差込口２の周面に当接させたときボルト４の先端をナット１のボルト差込口２周面でボルト差込口２に差し込むのに手間取らず、直ちにボルト差込口２に当接しやすく、且つ差込みやすくなる。また、ボルト４の先端をナット１のボルト差込口２に差し込んだときは、ボルト３がナット１のボルトの先端から容易にはずれない。従って、ボルトの先端を差し込んだナットは、螺合しやすくなり、また、これまでのようにボルトの先端をせっかく当接したナットのボルト差込口がボルトの先端からはずれて取り落とすようなことを阻止できる。
【０００８】
上記説明並に添付図面には、本考案のナットのボルト差込み口をナットの一方面に形成した説明並に図解がなされているが上記ボルトの差込み口は、両方面に形成することがある。
この場合には、両方面で、上記機能を発揮するナットとして構成されることは勿論である。
【０００９】
本考案のナットに螺着するボルトは図１に４の符号を付けて図示されている構成になっているものを想定しているが、これに限らず本出願人が先に出願した、実願２００５−９４２９号の明細書並に図面に記載した構成の５に図示するボルトを使用した場合も上記説明どうりの目的を達成できることは言うまでもない。
【図面の簡単な説明】
【００１０】
【図１】ボルトと本考案のナットの構成を図解した斜視図。
【符号の説明】
【００１１】
１      ナット
２      ナットのボルト差込み口
３      ナットの雌ネジ切削部分
４      ボルト
５      ボルト
【図１】
0003118730.tif 000003